【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
標的部位に粉末を供給するための装置（１）であって、
当該装置は、
−本体部（３，５）と、
−前記標的部位に供給されるべき粉末で満たされる粉末貯蔵部（２２）と、
−加圧気体で満たされるように前記本体部内に位置する気体貯蔵部（３０）と、
−前記粉末貯蔵部（２２）と連絡する排出ノズル（１０）と、
−前記気体貯蔵部（３０）と前記粉末貯蔵部（２２）との間で前記本体部（３，５）内に位置し、前記気体貯蔵部から前記粉末貯蔵部（３０）への前記加圧気体の流れを遮断するように閉鎖される、通常閉鎖された気体排出弁（４２）と、
−前記通常閉鎖された気体排出弁（４２）に連結された作動ハンドル（７）と、
を備え、
前記作動ハンドル（７）は、前記通常閉鎖された気体排出弁（４２）を開放しそれによって加圧気体の噴流が前記気体貯蔵部（３０）から前記粉末貯蔵部（２２）に適用されることを可能にするために、当該作動ハンドルに加えられる力に反応して、前記本体部（３，５）に対して第１の方向に動き、それによって、前記粉末貯蔵部（２２）からの前記粉末の少なくとも一部が、取り込まれて前記排出ノズル（１０）を通して前記標的部位に供給され、
当該装置は、更に、通常開放された気体流入弁（２４，２５）を備えており、
当該通常開放された気体流入弁（２４，２５）は、前記気体貯蔵部（３０）と加圧気体源との間で前記本体部内に位置しており、前記気体貯蔵部（３０）が前記加圧気体源からの前記加圧気体で満たされることを許容するように開放され、
前記作動ハンドル（７）に加えられる前記力に反応して当該作動ハンドル（７）が前記本体部（３，５）に対して前記第１の方向に移動する時、前記通常開放された気体流入弁（２４，２５）を閉鎖しそれによって前記気体貯蔵部（３０）が前記加圧気体源から加圧気体を更に受け取ることを妨げる、というように、当該作動ハンドル（７）は、前記通常開放された気体流入弁（２４，２５）に連結されている
ことを特徴とする装置。
【請求項２】
−前記作動ハンドル（７）が前記本体部（３，５）に対して前記第１の方向に移動する時−、同時に前記通常開放された気体流入弁（２４，２５）を閉鎖し、それによって前記気体貯蔵部（３０）が前記加圧気体源から加圧気体を更に受け取ることを妨げ、且つ、前記通常閉鎖された気体排出弁（４２）を開放し、それによって加圧気体の噴流が前記気体貯蔵部（３０）から前記粉末貯蔵部（２２）に適用されることを可能にし、それによって、前記粉末貯蔵部（２２）からの前記粉末の少なくとも一部が取り込まれて前記排出ノズル（１０）を通して前記標的部位に供給されるために、前記作動ハンドル（７）は、前記通常閉鎖された気体排出弁（４２）と、前記通常開放された気体流入弁（２４，２５）と、の両方に連結されている
ことを特徴とする請求項１に記載の装置（１）。
【請求項３】
前記気体貯蔵部（３０）と前記粉末貯蔵部（２２）との間を通る気体排出ホース（４０）
を更に備えており、
前記通常閉鎖された気体排出弁（４２）は、前記気体排出ホース（４０）に連結されており、且つ、前記気体排出ホース（４０）を閉鎖し、それによって前記気体貯蔵部（３０）から前記粉末貯蔵部（２２）への加圧気体の流れを遮断するように閉鎖され、
前記加圧気体の噴流が前記気体貯蔵部（３０）から前記粉末貯蔵部（２２）に前記気体排出ホース（４０）を介して適用されることを許容するように前記気体排出ホース（４０）が対応して開放される、というように、前記通常閉鎖された排出弁（４２）は、前記作動ハンドル（７）の前記第１の方向の動きに反応して開放される
ことを特徴とする請求項１または２に記載の装置（１）。
【請求項４】
前記通常閉鎖された気体排出弁（４２）は、気体排出ホース（４０）を取り囲んでおり、
前記通常閉鎖された気体排出弁（４２）は、固定弁部材（４６）と、可動弁部材（４０）と、を有しており、
当該固定弁部材（４６）及び当該可動弁部材（４０）の間に、前記気体排出ホース（４０）は、位置決めされており、
前記気体排出ホース（４０）を閉鎖するために前記通常閉鎖された気体排出弁（４２）が閉鎖される時、当該固定弁部材（４６）及び当該可動弁部材（４５）は、一緒に位置決めされ、
前記気体排出ホース（４０）を対応して開放するように前記通常閉鎖された気体排出弁（４２）が開放される時、当該固定弁部材（４６）及び当該可動弁部材（４５）は、離間して位置決めされる
ことを特徴とする請求項１乃至３のいずれかに記載の装置（１）。
【請求項５】
前記本体部（３，５）内に位置し、前記通常閉鎖された気体排出弁（４２）と連絡するバネ（４４）
を更に備え、
前記通常閉鎖された排出弁（４２）の前記固定弁部材（４６）及び前記可動弁部材（４５）が離間して位置決めされ当該通常閉鎖された排出弁（４２）が開放されるために、前記作動ハンドル（７）に加えられる力に反応して当該作動ハンドル（７）が前記本体部（３，５）に対して前記第１の方向に移動する時、当該バネ（４４）は圧縮され、
前記固定弁部材（４６）及び前記可動弁部材（４５）が一緒に位置決めされ前記通常閉鎖された排出弁（４２）が閉鎖されるために、前記作動ハンドル（７）に加えられる力が終了される時、当該バネ（４４）は伸長する
ことを特徴とする請求項４に記載の装置（１）。
【請求項６】
前記通常閉鎖された気体排出弁（４２）の可動弁部材（４５）を囲むバネ（４４）
を更に備え、
前記作動ハンドル（７）に加えられる力が終了され当該バネ（４４）が伸長する時、前記通常閉鎖された気体排出弁（４２）の固定弁部材（４６）に対して前記可動弁部材（４５）を移動させるために、且つ、当該作動ハンドル（７）を前記本体部に対して反対方向に回動させるために、当該バネ（４４）は、前記可動弁部材（４５）に対する押付力を生成する
ことを特徴とする請求項１乃至４のいずれかに記載の装置（１）。
【請求項７】
その一方の端部において前記気体貯蔵部（３０）に取り付けられ、その他方の端部において前記加圧気体源に接続されるよう適合された気体流入ホース（１２）
を更に備え、
前記通常開放された気体流入弁（２４，２５）は、当該気体流入ホース（１２）に連結されており、
当該気体入流ホース（１２）を閉鎖し、それによって前記加圧気体源から前記気体貯蔵部（３０）への当該気体流入ホース（１２）を介した前記加圧気体の流れを遮断するように、前記通常開放された気体流入弁（２４，２５）は、前記作動ハンドル（７）に加えられる力及び当該作動ハンドル（７）の前記第１の方向の動きに反応して閉鎖され、
前記気体貯蔵部（３０）が前記気体流入ホース（１２）を介した前記加圧気体源からの前記加圧気体で満たされることを許容するように前記気体流入ホース（１２）が対応して開放される、というように、前記作動ハンドル（７）に加えられる力が終了される時、前記通常開放された気体流入弁（２４，２５）は、開放される
ことを特徴とする請求項１乃至６のいずれかに記載の装置（１）。
【請求項８】
その一方の端部において前記気体貯蔵部（３０）に取り付けられ、その他方の端部において前記加圧気体源に接続されるよう適合された気体流入ホース（１２）
を更に備え、
前記通常開放された気体流入弁（２４，２５）は、前記作動ハンドル（７）に取り付けられ当該作動ハンドル（７）と共に移動可能であるホース狭窄部材（２４）を有しており、
前記作動ハンドル（７）が当該作動ハンドル（７）に加えられる力に反応して前記第１の方向に移動する時、前記気体流入ホース（１２）が閉鎖され、前記加圧気体源から前記気体貯蔵部（３０）への前記気体流入ホース（１２）を介した前記加圧気体の流れを遮断する、というように、当該ホース狭窄部材（２４）は、前記気体流入ホース（１２）に向けて移動して当該気体流入ホース（１２）と接触する
ことを特徴とする請求項１乃至７のいずれかに記載の装置（１）。
【請求項９】
前記粉末貯蔵部（２２）は、複数の粉末が充填されるチャンバ（２３）を有しており、  各チャンバ（２３）は、前記標的部位に供給されるべき一供給量の粉末で満たされ、
前記作動ハンドル（７）が当該作動ハンドルに加えられる力に反応して前記第１の方向に移動する時、当該特定の一つのチャンバ（２３）の粉末状内容物が前記気体の噴流によって取り込まれる、というように、前記粉末貯蔵部（２２）の前記粉末が充填されるチャンバ（２３）の特定の一つが、前記気体貯蔵部（３０）と前記排出ノズル（１０）との間の流体路内に位置する
ことを特徴とする請求項１乃至８のいずれかに記載の装置（１）。
【請求項１０】
前記粉末貯蔵部（２２）は、一度につき当該粉末貯蔵部（２２）の粉末で充填される前記複数のチャンバ（２３）のただ一つが前記流体路内に位置する、というように位置決めされるように回動可能であり、
当該装置は、前記本体部内に位置し前記粉末貯蔵部（２２）に連結されたラチェット車（４８）を更に備え、
当該ラチェット車（４８）は、粉末が充填される前記複数のチャンバ（２３）の前記特定の一つが前記流体路内に回動されるまで前記粉末貯蔵部（２２）に対して対応する回動を伝えるために、前記作動ハンドル（７）に加えられる力に反応して前記本体部（３，５）に対して前記第１の方向に移動する当該作動ハンドル（７）に反応して回動される
ことを特徴とする請求項１１に記載の装置（１）。
【請求項１１】
前記本体部（３，５）と前記排出ノズル（１０）との間に位置し前記粉末貯蔵部（２２）を取り囲むカバー部（９）
を更に備え、
当該カバー部（９）は、当該カバー部（９）を横切って広がる後部キャップ（５０）と、当該カバー部（９）を貫通して形成された穴部と、を有しており、
前記ラチェット車（４８）は、当該穴部を通して当該ラチェット車（４８）と前記粉末貯蔵部（２２）との間で延びる軸（５２）を通して前記粉末貯蔵部（２２）に連結されており、
それによって、前記本体部（３，５）内の前記ラチェット車（４８）の回動は、前記軸（５２）を通して前記カバー部（９）により取り囲まれた前記粉末貯蔵部（２２）に伝達される
ことを特徴とする請求項１０に記載の装置（１）。
【請求項１２】
当該カバー部（９）から突出し当該カバー部（９）によって取り囲まれた前記粉末貯蔵部（２２）と連絡する可撓性のインデックスタブ（８５）を有するカバー部（９）
を更に備え、
前記インデックスタブ（８５）は、前記粉末貯蔵部（２２）の粉末が充填される前記複数の連続的なチャンバ（２３）が一度につき一つ前記気体貯蔵部（３０）と前記排出ノズル（１０）との間で前記流体路内に移動されるように、前記粉末貯蔵部（２２）の前記回動を制限する
ことを特徴とする請求項１０または１１に記載の装置（１）。
【請求項１３】
カバー部（９）によって取り囲まれた粉末貯蔵部（２２）
を更に備え、
前記カバー部（９）は、少なくとも一つの流入封止部（６２，６４）と、少なくとも一つの排出封止部（７２，７４）と、を有しており
当該流入封止部（６２，６４）は、前記粉末貯蔵部（２２）の粉末が充填される前記複数のチャンバ（２３）の第１の端部を封止するように、前記粉末貯蔵部の一方の端部を横切って広がっており、
当該排出封止部（７２，７４）は、前記粉末が充填されるチャンバ（２３）の対向する端部を封止するように、前記粉末貯蔵部の他方の端部を横切って広がっており、
当該流入封止部（６２，６４）及び当該排出封止部（７２，７４）の各々は、当該流入封止部ないし当該排出封止部を貫通して形成され前記気体貯蔵部（３０）と前記排出ノズル（１０）との間で前記流体路内に位置する穴部（６９，７０，７６，７８）を有している
ことを特徴とする請求項１乃至１２のいずれかに記載の装置（１）。
【請求項１４】
前記通常気体排出弁（４２）が閉鎖された位置にある間、前記気体貯蔵部（３０）内の前記気体の圧力が閾値を超える時、気体が当該気体貯蔵部（３０）から逃げることを許容するように前記気体貯蔵部（３０）内に設けられた圧力除去弁（２００）
を更に備えた
ことを特徴とする請求項１乃至１３のいずれかに記載の装置（１）。  
【請求項１５】
請求項１乃至１４のいずれかに記載の装置（１）と、
コラーゲンを含む止血組成物と、
を備えたキット。